(57)【要約】      （修正有）【課題】携帯電話のストラップやメガネなどの小物が係止できると共に、ファッション性も加味した、衣服又は袋物のポケットを提供する。【解決手段】衣服又は袋物のポケット１１であって、該ポケット１１の外側に位置する外側布１４には、携帯電話ＫのストラップＳを係止する係止具１６が取り外し自在に設けられている。また、外側布１４の開放部寄りの部位には、携帯電話のストラップ等を挿通させて保持する保持部が形成されている。【選択図】図１
2007270361.tif 000002
【特許請求の範囲】
【請求項１】
衣服又は袋物のポケットであって、
該ポケットの外側に位置する外側布には、携帯電話のストラップ等を係止する係止具が取り外し自在に設けられていることを特徴とする衣服又は袋物のポケット。
【請求項２】
前記外側布の開放部寄りの部位には、携帯電話のストラップ等を挿通させて保持する保持部が形成されていることを特徴とする請求項１に記載の衣服又は袋物のポケット。
【請求項３】
前記係止具は、基部と、前記外側布に設けた長孔に係合させる帯部と、前記基部に設けられる係止突部と、該係止突部への被係止物の係止状態を維持する開閉自在の蓋部材と、該蓋部材に設けられたリング部材とを備えることを特徴とする請求項１に記載の衣服又は袋物のポケット。
【請求項４】
前記係止突部は、装飾が施されていることを特徴とする請求項３に記載の衣服又は袋物のポケット。
【発明の詳細な説明】
【技術分野】
【０００１】
本発明は、携帯電話のストラップやメガネなどの小物が係止できると共に、ファッション性も加味した、衣服又は袋物のポケットに関するものである。
【背景技術】
【０００２】
従来、携帯電話などの小物を収納するのに適した衣服のポケットとしては、次のような構成のものを本願出願人が特許出願している。この衣服のポケットは、衣服布地に設けられた収納部と、この収納部の上部に設けられた開放部とを有し、収納部に封止布を設けて開放状態を封止できるようにした構成である（特許文献１参照）。
【０００３】
このような構成の衣服のポケットは、収納部が封止布で封止されるので、着衣している人が前屈姿勢になったり激しく動いたときでも、ポケット内の収納物が外に飛び出さず落下しない。
【特許文献１】特開２００４−１６９２５９号公報
【発明の開示】
【発明が解決しようとする課題】
【０００４】
この従来例の衣服のポケットにおいては、収納物が外に飛び出さないという特徴を有するものの、携帯電話のストラップやメガネなどの小物を係止する機能はない。
【０００５】
従って、従来例における衣服のポケットにおいては、携帯電話のストラップや種々の小物を簡単に且つ確実に係止することに解決しなければならない課題を有している。
【課題を解決するための手段】
【０００６】
前記従来例の課題を解決する具体的手段として本発明は、衣服又は袋物のポケットであって、該ポケットの外側に位置する外側布には、携帯電話のストラップ等を係止する係止具が取り外し自在に設けられていることを特徴とする衣服又は袋物のポケットを提供するものである。
【０００７】
また、前記外側布の前記開放部寄りの部位には、携帯電話のストラップ等を挿通させて保持する保持部が形成されていること、；
前記係止具は、基部と、前記外側布に設けた長孔に係合させる帯部と、前記基部に設けられる係止突部と、該係止突部への被係止物の係止状態を維持する開閉自在の蓋部材と、該蓋部材に設けられたリング部材とを備えること、；
前記係止突部は、装飾が施されていること、；
を含むものである。
【発明の効果】
【０００８】
本発明に係る衣服又は袋物のポケットは、衣服又は袋物のポケットであって、該ポケットの外側に位置する外側布には、携帯電話のストラップ等を係止する係止具が取り外し自在に設けられていることによって、ストラップやメガネ等の小物を簡単に且つ確実に係止できるという優れた効果を奏する。
【０００９】
また、外側布の前記開放部寄りの部位には、携帯電話のストラップ等を挿通させて保持する保持部が形成されていることによって、ストラップが体の動作に伴って動かないので、ポケット内の収納物が安定するという優れた効果を奏する。
【００１０】
そして、係止具は、基部と、前記外側布に設けた長孔に係合させる帯部と、前記基部に設けられる係止突部と、該係止突部への被係止物の係止状態を維持する開閉自在の蓋部材と、該蓋部材に設けられたリング部材とを備えることによって、係止突部にストラップを係止して蓋部材を閉じれば、ストラップが係止突部から外れない。また、リング部材には、メガネなどの小物を係止できるという種々の優れた効果を奏する。
【００１１】
更に、係止突部は、装飾が施されていることによって、ファッション性も備えることとなるという優れた効果を奏する。
【発明を実施するための最良の形態】
【００１２】
次に、本発明の実施の形態について図面を参照しながら説明する。まず、図１から図４において、符号１１は衣服又は袋物のポケットを示し、この衣服又は袋物のポケット１１は、収納物を収納する収納部１２と、この収納部１２の上部に設けられた開放部１３と、収納部１２の外側に位置する外側布１４と、収納部１２の内側に位置する内側布１５と、外側布１４に取り外し自在に設けられた係止具１６とから構成される。
【００１３】
衣服又は袋物のポケット１１は、背広、ワイシャツ、ポロシャツ、ブラウス、作業着、又はズボン等の、ポケットを設けることのできる様々な衣服、又はカバン、バッグ、リュックサック等のサイドポケット（収納部）に設けることができる。
また、衣服又は袋物のポケット１１は、綿、麻、絹等の天然繊維、又はナイロン、ポリエステル、ビニロン等の合成繊維及び化学繊維、あるいは皮革、毛皮、合成樹脂材等の、おおよそ衣服又は袋物のポケットを形成できる外側布１４（生地材）に適用が可能である。
【００１４】
内側布１５は、両端部１５ａ、１５ａと底部１５ｂとが逢着されて、袋状の収納部１２が形成されており、この収納部１２の上部において、外側布１４の縁部と内側布１５との間に開放部１３を有する。
【００１５】
外側布１４の開放部１３寄りの部位は、湾曲状に切断されて孔状の保持部１７が形成されている。この保持部１７は、例えば携帯電話ＫのストラップＳを挿通して保持させる部位であり、そのように保持させればストラップＳが体の動作に伴って動かないので、収納部１２内の携帯電話Ｋが安定する。
【００１６】
保持部１７の上部は、湾曲状に形成された外側布１４の一部が重なり合っている。この重なり合った一方にはマグネット部材１８が設けられており、他方には鉄粉等の金属部材１９が設けられており（図３参照）、両者が吸着して保持部１７の閉成状態が維持される。従って、保持部１７に保持されたストラップＳが外に飛び出ない。
【００１７】
外側布１４には、長孔２０と長孔２１とが所定の間隔を開けて形成されている（図２参照）。また、長孔２０及び長孔２１の内側には、布材２２が縫着線２３に沿って縫着されている。この長孔２０は、後述する係止具１６の帯部２５を挿入する部位であり、挿入した帯部２５の先端部２５ｂを、縫着線２３に沿って進入させて長孔２１から突出させる。
【００１８】
係止具１６は、図１及び図５から図８に示すように、基部２４と、この基部２４に設けられる帯部２５と、携帯電話ＫのストラップＳ等を係止する係止突部２６と、この係止突部２６に係止されたストラップＳの係止状態を維持する蓋部材２７と、この蓋部材２７に設けられたリング部材２８とから構成されている。
【００１９】
基部２４は、プラスチック等の板材で形成されており、その両端部が所定幅起立して起立部２９及び起立部３０が設けられている。起立部２９の所定位置には、２箇所の切欠部３１、３１が所定の間隔を開けて形成されている。同様に、起立部３０の所定位置には、２箇所の切欠部３２、３２が所定の間隔を開けて形成されている。
【００２０】
起立部２９の切欠部３１、３１の間には、端縁に沿って所定厚みの肉厚部３３が設けられ、且つ段部３３ａが形成されている。また、段部３３ａに沿った位置には、所定長さのマグネット部材３４が設けられている。
【００２１】
帯部２５は、プラスチック等で帯状に形成されている。また、帯部２５の基端部２５ａは基部２４の裏面に取り付けられている。そして、帯部２５は途中で縮幅してやや幅狭に形成されると共に、先端部２５ｂには、雌ホック３５が設けられている。この雌ホック３５は、基部２４の表面に設けられた雄ホック３６と嵌合する。なお、図７中符号３７は、基部２４に設けられた切欠溝を示し、この切欠溝３７に帯部２５が位置することにより、左右方向へのズレを防いでいる。
【００２２】
このように形成された帯部２５は、前述のように、先端部２５ｂを長孔２０に挿入して進入させ、次いで長孔２１から突出させて、雌ホック３５と雄ホック３６とを嵌合させる。このように構成されることによって、係止具１６を外側布１４に取り外し自在に設けることができる。従って、係止具１６を好みに応じて任意のデザインのものに交換することもできるのである。
【００２３】
係止突部２６は、基部２４に設けられており、上部２６ａ側が鋭角状に形成され、下部２６ｂ側に沿って膨出状に形成され、基部２４側に段部２６ｃが形成されている。この段部２６ｃに携帯電話ＫのストラップＳを係止させる。
【００２４】
なお、係止突部２６は、上記のような形状に限定されるものではなく、様々な形状や色彩に着色して装飾を施してもよいことは勿論である。そのように係止突部２６を種々デザインすることにより、係止具１６のファッション性を向上させることができる。
【００２５】
蓋部材２７は、基部２４の起立部２９と起立部３０との間を横架する状態で開閉自在に設けられている。具体的に説明すると、蓋部材２７は、一方に側部３８を有し、この側部３８が起立部３０の所定位置に取り付けられている。この側部３８にはマグネットが配設されている。
また、側部３８の端部に沿って折り目３９が形成されており、この折り目３９を介して側部４０が連設されている。この側部４０には、鉄粉等の金属粉が配設されている。
このように構成されることにより、図６に示すように、蓋部材２７を開状態にしたときに、折り目３９で折曲した側部４０と側部３８とが吸着して、蓋部材２７の開状態が維持されるようになっている。
【００２６】
側部４０の端部には、垂直方向に横架部４１が一体に設けられている。この横架部４１の上下両端部は、所定幅起立して起立部４２及び起立部４３が設けられている。起立部４２及び起立部４３は、蓋部材２７を閉状態にしたときに、それぞれ切欠部３１及び切欠部３２に嵌り込むようになっている。従って、蓋部材２７を閉状態して、リング部材２８にメガネ等を係止したときに、蓋部材２７が下方向にズレないのである。
【００２７】
横架部４１の上端部には、凹部４４が形成されている。この凹部４４は、蓋部材２７を閉状態にしたときに、係止突部２６の下部２６ｂ側に沿うようになっている。従って、係止突部２６にストラップＳを係止して蓋部材２７を閉じたときに、凹部４４が抜け止めの役目を果たし、ストラップＳが係止突部２６から抜け落ちない。
【００２８】
横架部４１の端部には、垂直方向に側部４５が一体に設けられており、この側部４５が肉厚部３３に沿うようになっている。また、この側部４５の端部に沿って折り目４６が形成されており、この折り目４６を介して側部４７が連設されている。
【００２９】
側部４７は、肉厚に形成されており、その内側に段部４７ａが形成されている。この段部４７ａは、肉厚部３３の段部３３ａと係合するようになっている。また、側部４７の内側には、鉄粉等の金属粉が配設されており、側部４７とマグネット部材３４とが吸着して蓋部材２７の閉状態が維持される。
【００３０】
更に、側部４７の端部には、折り目４８を介して把持片４９が設けられており、この把持片４９を摘んで蓋部材２７を開方向に移動させることができる。
【００３１】
リング部材２８は、取付部材５０を介して横架部４１に取り付けられている。このリング部材２８は、前述のようにメガネ等の小物を係止する部位である。
【産業上の利用可能性】
【００３２】
本発明の衣服又は袋物のポケットは、背広、ワイシャツ、ポロシャツ、ブラウス、作業着、又はズボン等の、ポケットを設けることのできる様々な衣服、又はカバン、バッグ、リュックサック等のサイドポケットに設けることができる。
また、衣服又は袋物のポケットは、綿、麻、絹等の天然繊維、又はナイロン、ポリエステル、ビニロン等の合成繊維及び化学繊維、あるいは皮革、合成樹脂材等の、おおよそ衣服を形成できる生地材に適用が可能である。
【図面の簡単な説明】
【００３３】
【図１】本発明に係る衣服又は袋物のポケット１１の正面図である。
【図２】本発明に係る衣服又は袋物のポケット１１の、係止具１６を取り外した状態の正面図である。
【図３】保持部１７を拡大して示した正面図である。
【図４】本発明に係る衣服又は袋物のポケット１１の縦断面図である。
【図５】係止具１６の底面図である。
【図６】係止具１６の、蓋部材２７を開状態にした底面図である。
【図７】係止具１６の、蓋部材２７を開状態にした正面図である。
【図８】係止具１６の、蓋部材２７を開状態にした左側面図である。
【符号の説明】
【００３４】
１１  衣服又は袋物のポケット
１２  収納部
１３  開放部
１４  外側布
１５  内側布
１５ａ端部
１５ｂ底部
１６  係止具
１７  保持部
１８  マグネット部材
１９  金属部材
２０  長孔
２１  長孔
２２  布材
２３  縫着線
２４  基部
２５  帯部
２５ａ基端部
２５ｂ先端部
２６  係止突部
２６ａ上部
２６ｂ下部
２６ｃ段部
２７  蓋部材
２８  リング部材
２９、３０  起立部
３１、３２  切欠部
３３  肉厚部
３３ａ段部
３４  マグネット部材
３５  雌ホック
３６  雄ホック
３７  切欠溝
３８  側部
３９  折り目
４０  側部
４１  横架部
４２、４３  起立部
４４  凹部
４５  側部
４６  折り目
４７  側部
４７ａ段部
４８  折り目
４９  把持片
５０  取付部材
【図１】
2007270361.tif 000003
【図２】
2007270361.tif 000004
【図３】
2007270361.tif 000005
【図４】
2007270361.tif 000006
【図５】
2007270361.tif 000007
【図６】
2007270361.tif 000008
【図７】
2007270361.tif 000009
【図８】
2007270361.tif 000010